(57)【要約】      （修正有）【課題】高所にある識別子の情報を容易に確認することができる識別子読取装置を提供する。【解決手段】操作者１８がバーコード読取装置１０を持ち上げて、ハンディスキャナ２０の読取窓をバーコード１６に対向させる。次いで、操作者１８がハンディターミナル２２のスキャン指示スイッチを押すと、バーコード読み取り開始の信号がハンディターミナル２２の通信部から送信される。送信された前記読み取り開始の信号が、ハンディスキャナ２０の通信部で受信されると、ＣＰＵは、スキャナ本体を駆動してバーコード１６の読み取りを開始する。バーコード１６の読み取りが終了すると、デコーダがバーコード１６を解読する。そして、ＣＰＵは、解読した商品情報を通信部から送信させる。送信された商品情報が、ハンディターミナル２２の通信部で受信されると、その商品情報が表示部に表示される。【選択図】図１
0003169436.tif 000002
【実用新案登録請求の範囲】
【請求項１】
識別子を読み込むスキャナ本体、前記スキャナ本体によって読み込んだ識別子情報を送信する第１の送受信部を備えたスキャナ部と、
前記スキャナ部の前記第１の送受信部と送受信可能な第２の送受信部、及び前記第２の送受信部によって受信された前記識別子情報を表示する表示部を備えた端末部と、
伸縮自在な棒体と、を有し、
前記棒体の先端部に前記スキャナ部が取り付けられ、前記端末部が前記棒体に着脱自在に取り付けられることを特徴とする識別子読取装置。
【請求項２】
前記スキャナ部は、継手を介して前記棒体の先端部に取り付けられている請求項１に記載の識別子読取装置。
【請求項３】
前記スキャナ部の前記第１の送受信部は、前記識別子情報を無線信号に変換して前記端末部の前記第２の送受信部に送信する請求項１、又は２に記載の識別子読取装置。
【請求項４】
前記スキャナ部、及び前記端末部は、それぞれバッテリを備えており、該バッテリを電源として駆動される請求項１、２又は３に記載の識別子読取装置。
【請求項５】
前記端末部の前記第２の送受信部は、無線又は有線によって外部端末機器に前記識別子情報を送信可能である請求項１から４のいずれかに記載の識別子読取装置。
【請求項６】
前記端末部は、前記識別子情報を記憶する記憶部を有する請求項１から５のいずれかに記載の識別子読取装置。
【請求項７】
前記識別子は、バーコード、文字、記号、及び画像等の識別子であり、前記識別子が前記バーコードの場合には、前記スキャナ部は、前記スキャナ本体によって読み込んだ前記バーコードを解読する解読部を備え、前記解読部によって解読したバーコード情報を前記第１の送受信部によって送信する請求項１から６のいずれかに記載の識別子読取装置。
【請求項８】
前記端末部は、バーコードを読み込む補助スキャナ本体、及び前記補助スキャナ本体によって読み込んだ前記バーコードを解読する補助解読部を有する請求項７に記載の識別子読取装置。
【考案の詳細な説明】
【技術分野】
【０００１】
本考案は、識別子読取装置に関する。
【背景技術】
【０００２】
特許文献１には、商品の包装、又は商品棚等に貼り付けられて、その商品を識別するためのバーコードを読み取るバーコード読取装置が開示されている。
【０００３】
このバーコード読取装置は、携帯型端末装置本体と、この携帯型端末装置本体に着脱自在に装着されるハンディ型装置とからなる。前記携帯型端末装置本体には、文字及び画像を表示する表示ユニット、及び前記ハンディ型装置のスキャナによって入力されたバーコードの示す値に基づいて所定の演算処理を行う演算処理ユニットが設けられている。一方、前記ハンディ型装置には、バーコードの入力を行う前記スキャナ、及びテンキーが設けられている。また、前記携帯型端末装置本体は、前記ハンディ型装置から無線によって送信されてくるデータを受信する受信ユニットを備えており、前記ハンディ型装置は、前記スキャナ又は前記テンキーによって入力されたデータを前記携帯型端末装置本体に無線によって送信する送信ユニットを備えている。
【先行技術文献】
【特許文献】
【０００４】
【特許文献１】特開２００５−５６１８４号公報
【考案の概要】
【考案が解決しようとする課題】
【０００５】
しかしながら、特許文献１のバーコード読取装置は、高所の棚に納められた商品のバーコードを確認する場合には、操作者が梯子や脚立等を利用して高所の棚の位置まで登り、前記ハンディ型装置によって前記バーコードを読み取らなければならず、商品の確認作業に手間がかかるという問題があった。
【０００６】
本考案は、このような事情に鑑みてなされたもので、高所にある識別子の情報を容易に確認することができる識別子読取装置を提供することを目的とする。
【課題を解決するための手段】
【０００７】
本考案は、前記目的を達成するために、識別子を読み込むスキャナ本体、前記スキャナ本体によって読み込んだ識別子情報を送信する第１の送受信部を備えたスキャナ部と、前記スキャナ部の前記第１の送受信部と送受信可能な第２の送受信部、及び前記第２の送受信部によって受信された前記識別子情報を表示する表示部を備えた端末部と、伸縮自在な棒体と、を有し、前記棒体の先端部に前記スキャナ部が取り付けられ、前記端末部が前記棒体に着脱自在に取り付けられることを特徴とする識別子読取装置を提供する。
【０００８】
本考案の識別子読取装置を使用して、高所及び狭所にある識別子を読み取る場合には、まず、棒体の伸長量を調節してスキャナ部のスキャナ本体を識別子に対向させる。次に、端末部から前記スキャナ部に読み取り開始の信号を第２の送受信部から送信する。送信された前記読み取り開始の信号が、前記スキャナ部の第１の送受信部で受信されると、前記スキャナ本体で前記識別子の読み取りを開始し、前記読み取った識別子の情報を、前記第１の送受信部から前記第２の送受信部を介して前記端末部に送信する。送信された前記識別子の情報は、前記端末部の表示部に表示されるので、識別子読取装置を操作する操作者は、高所及び狭所にある前記識別子の情報を容易に確認することができる。
【０００９】
前記スキャナ部は、継手を介して前記棒体の先端部に取り付けられていることが好ましい。多関節構造の継手を利用することにより、棒体の先端部に対してスキャナ部を所望の方向に向けることができるので、識別子の向きに応じた向きにスキャナ部を容易に設定することができる。これにより、狭い間隔で隣り合うように複数の商品が並べられ、その商品の対向する面に識別子が付されている状況においても、その識別子をスキャナ本体で読み取ることができる。
【００１０】
前記スキャナ部の前記第１の送受信部は、前記識別子情報を無線信号に変換して前記端末部の前記第２の送受信部に送信することが好ましい。有線の場合には、ケーブルが確認作業時に邪魔になる、あるいはケーブルの長さが足りず、確認作業ができない場合があるので、前述の如く無線通信が好ましい。無線通信手段としては、近距離無線通信規格であるBluetooth、IrDA等を挙げることができる。
【００１１】
前記スキャナ部、及び前記端末部は、それぞれバッテリを備えており、該バッテリを電源として駆動されることが好ましい。倉庫のコンセントから電源供給用のケーブルをスキャナ部、端末部に接続する必要がないので、確認作業範囲が前記ケーブルの長さに規制されない。よって、識別子読取装置の取り扱いが容易になる。
【００１２】
前記端末部の前記第２の送受信部は、無線又は有線によって外部端末機器に前記識別子情報を送信可能であるがことが好ましい。端末部からパソコン等の外部端末機器に識別子情報を送信することにより、外部端末機器側で、例えば棚卸しデータ等を作成することができる。
【００１３】
前記端末部は、前記識別子情報を記憶する記憶部を有することが好ましい。記憶部を備えることにより、識別子情報を蓄積でき、蓄積した識別子情報を前記外部端末機器に受け渡すことができる。
【００１４】
前記識別子は、バーコード、文字、記号、及び画像等の識別子であり、前記識別子が前記バーコードの場合には、前記スキャナ部は、前記スキャナ本体によって読み込んだ前記バーコードを解読する解読部を備え、前記解読部によって解読したバーコード情報を前記第１の送受信部によって送信することが好ましい。
【００１５】
前記識別子としては、一次元バーコード、二次元バーコード等のバーコード、文字、記号、及び画像等を挙げることができ、前記読取手段としてはバーコードスキャナ、及びラインセンサ、エリアセンサ等の撮像手段を挙げることができる。バーコードの場合には、解読部が必要になるが、この解読部は読取手段に設けてもよく、端末部に設けてもよい。すなわち、読取手段側で解読したバーコード情報を端末部に送信してもよく、読取手段側から送信されるバーコードの画像に基づき端末部側でバーコードを解読してもよい。しかしながら、解読しないバーコードの情報量は容量が大きく、読取手段から端末部にその情報を送信しようとすると、処理速度が低下する。よって、読取手段に解読部を設け、解読部で解読したバーコードの情報を端末部に送信することが処理速度を上げる点で好ましい。
【００１６】
前記端末部は、バーコードを読み込む補助スキャナ本体、及び前記補助スキャナ本体によって読み込んだ前記バーコードを解読する補助解読部を有することが好ましい。
【００１７】
前記端末部側においても、補助スキャナ本体によってバーコードを読み込み、読み込んだバーコードを補助解読部によって解読することができる。低所確認作業時には、棒体からスキャナ部と端末部とを取り外し、バーコードの確認用として各々独立して使用することができる。この場合には、スキャナ部にバーコード情報を表示する表示部を設けることが好ましい。
【考案の効果】
【００１８】
本考案の識別子読取装置によれば、高所にある識別子の情報を容易に確認することができ、また、スキャナ部を、継手を介して棒体に取り付けることにより、狭い間隔で隣り合うように複数の商品が並べられ、その商品の対向する面に識別子が付されている状況においても、その識別子をスキャナ本体で読み取ることができる。
【図面の簡単な説明】
【００１９】
【図１】実施の形態のバーコード読取装置の使用形態を示した説明図
【図２】図１に示したバーコード読取装置の全体図
【図３Ａ】ロッドに対するハンディターミナルの取付構造図
【図３Ｂ】ロッドにハンディターミナルを取り付けるクランパの背面斜視図
【図４】ハンディスキャナがジョイントを介してロッドに装着された要部拡大図
【図５Ａ】ハンディスキャナの正面図
【図５Ｂ】ハンディスキャナの右側面図
【図６】バーコード読取装置の構成を示したブロック図
【図７】ハンディターミナルの正面図
【図８Ａ】第１のロッドと第２のロッドとを連結する前のロッドの構成を示した説明図
【図８Ｂ】第１のロッドと第２のロッドとを連結したロッドの構成を示した説明図
【考案を実施するための形態】
【００２０】
以下、添付図面に従って本考案に係る識別子読取装置の好ましい実施の形態について説明する。
【００２１】
図１は、識別子読取装置の一つである実施の形態のバーコード読取装置１０の使用形態を示した説明図である。同図には、棚１２の高所に納められた商品１４に付されているバーコード１６を、操作者１８がバーコード読取装置１０を使用して読み取っている状態が示されている。同図に示すように、バーコード読取装置１０を操作者１８が上方に持ち上げることによって、操作者１８は梯子や脚立を使用することなく、高所にある商品１４のバーコード１６を容易に確認することができる。
【００２２】
このバーコード読取装置１０は、流通業又は物流業等において、商品１４の在庫管理（棚卸しの作業又はピッキング時の商品確認）のために使用される装置であり、商品１４に貼り付けられているバーコード１６を読み込み、読み込んだバーコード１６を解読することによって型番、個数、製造年月日、納入先等の商品情報（バーコード情報）を取得する装置である。なお、バーコードとしては、図２に示した一次元バーコードでもよく、ドットを縦横に配列した二次元バーコードでもよい。また、ピッキングとは、注文や要求（出荷指示）に対して、その品物を在庫から選び出すことをいう。
【００２３】
図２はバーコード読取装置１０の全体図である。同図に示すバーコード読取装置１０はハンディスキャナ（スキャナ部）２０、ハンディターミナル（端末部）２２、及びロッド（棒体）２４から構成される。ハンディスキャナ２０は、ロッド２４の一端部（先端部）にジョイント（継手）２６、及びホルダ２８を介して着脱自在に取り付けられている。ハンディターミナル２２は、ロッド２４の他端部又は略中央部に、図３Ａに示す一対のクランパ（Clamper）３０、３２を介して着脱自在に取り付けられている。
【００２４】
図３Ａの如くクランパ３０は箱型に構成されており、ハンディターミナル２２の一端部を収納する凹部３６を有し、クランパ３２は、ハンディターミナル２２の他端部を収納する凹部３８を備えている。また、図３Ｂの如く、クランパ３０のロッド２４側の面には、ロッド２４が挿入される円弧状のガイド部３１が取り付けられている。このガイド部３１にロッド２４を挿入し、ガイド部３１に螺合されたねじ３４を締結することによって、クランパ３０がガイド部３１を介してロッド２４に固定される。クランパ３２の構造も同一である。
【００２５】
なお、ハンディスキャナ２０をロッド２４の一端部に直接取り付けてもよいが、図４の如くハンディスキャナ２０を、ジョイント２６を使用してロッド２４に取り付けることが好ましい。複数のピン４０、４０…とリンク４２、４２…とからなる多関節構造のジョイント２６を利用することにより、ロッド２４の一端部に対してハンディスキャナ２０の読取窓４４を、図４の二点鎖線で示すように、上下方向において所望の方向に向けることができる。
【００２６】
また、ハンディスキャナ２０が取り付けられたジョイント２６の端部の反対の端部には、ロッド２４の軸方向に対して直交方向に回転軸３９を有する回転部材４１が設けられている。回転部材４１の回転軸３９は、ロッド２４の端部に取り付けられたパイプ材２５に矢印Ａ方向、すなわち、ロッド２４の軸方向に対して直交する軸を回転中心とした方向に回転自在に取り付けられている。したがって、パイプ材２５に対して回転部材４１が回転軸３９で回転することによって、ジョイント２６及びホルダ２８を介して取り付けられたハンディスキャナ２０を所望の方向に回転できる。よって、バーコード１６の向きに応じた向きにハンディスキャナ２０の読取窓４４を容易に向けることができる。また、狭い間隔で隣り合うように複数の商品が並べられ、その商品の対向する面にバーコードが付されている状況においても、そのバーコードにハンディスキャナ２０の読取窓４４を容易に向けることができる。
【００２７】
ジョイント２６は、ピン４０とリンク４２との間のフリクションを利用してハンディスキャナ２０の位置を保持する構造でもよく、ピン４０とリンク４２とをねじで固定してハンディスキャナ２０の位置を保持する構造でもよい。また、同様にジョイント２６は、回転軸３９とパイプ材２５との間のフリクションを利用してハンディスキャナ２０の位置を保持する構造でもよい。更に、ホルダ２８は、ハンディスキャナ２０が嵌合される筒状のものでもよく、伸縮自在なバンドでもよい。
【００２８】
図５Ａはハンディスキャナ２０の正面図、図５Ｂはハンディスキャナ２０の右側面図である。
【００２９】
ハンディスキャナ２０は、箱型に構成された外装ケース本体４６を有している。外装ケース本体４６の上部は正面方向に突出され、その突出部４７の正面に透明の読取窓４４が取り付けられている。突出部４７の内部にＬＥＤ（Light Emitting Diode）４８とＣＣＤ（Charge Coupled Device)５０とを備えたスキャナ本体５２が配置されている。なお、図２、図４において符号４５の線は、読取窓４４を介したＣＣＤ５０の視野範囲を示している。
【００３０】
ハンディスキャナ２０は、図６に示すようにスキャナ本体５２、ＣＰＵ５４、デコーダ（解読部）５６、バッテリ５８、表示部６０、電源スイッチ６２、及び通信部（第１の送受信部）６４等から構成される。ＣＰＵ５４は、電源スイッチ６２のＯＮ操作によってバッテリ５８から電力が供給されると、スキャナ本体５２、デコーダ５６、表示部６０、及び通信部６４に電力を供給するとともに、これらを統括制御する。電源スイッチ６２は、ハンディスキャナ２０の外部から操作できるように、図５Ｂの如く外装ケース本体４６の突出部４７側の側面で突出部４７の下部に露出して設けられている。なお、電源スイッチ６２の配置位置は、前記位置に限定されるものではなく、ハンディスキャナ２０の外部から操作できる位置であれば、如何なる位置であってもよい。また、バッテリ５８は、充電可能なニッケル水素電池であることが好ましい。
【００３１】
スキャナ本体５２は、ＬＥＤ４８及びＣＣＤ５０等から構成されており、ＬＥＤ４８は、読取窓４４を介してハンディスキャナの外部（図５Ｂにおいて、読取窓４４の左方向）へ光を照射する位置に配置される。ＣＣＤ５０は、ＬＥＤ４８から出射されてバーコード１６に照射された光の反射光を受光する位置に配置される。
【００３２】
ＣＣＤ５０によって受光されたバーコード１６は、すなわち、スキャナ本体５２によって読み込まれたバーコード１６は、図６のデコーダ５６によって解読される。よって、バーコード１６の前記商品情報がハンディスキャナ２０によって取得される。この商品情報は、ＣＰＵ５４によって表示部６０に表示されるとともに、無線信号として通信部６４からハンディターミナル２２の通信部８６へ送信される。
【００３３】
図７は、ハンディターミナル２２の正面図である。
【００３４】
ハンディターミナル２２は、箱型に構成された外装ケース６６を有し、その正面上部には矩形状の表示部６８が設けられている。また、表示部６８の下方には電源スイッチ７０、スキャン指示スイッチ７２、カーソルキー７６、数字キー７８、エンターキー８０を備えている。カーソルキー７６、数字キー７８、及びエンターキー８０はハンディターミナル２２から数字、文字を入力する場合に使用される。
【００３５】
また、ハンディターミナル２２は図６に示すように、表示部６８、電源スイッチ７０、ＣＰＵ８２、バッテリ８４、通信部（第２の送受信部）８６、メモリ（記憶部）８８、補助スキャナ本体９０、及び補助デコーダ９２等から構成される。
【００３６】
ＣＰＵ８２は、電源スイッチ７０のＯＮ操作によってバッテリ８４から電力が供給されると、表示部６８、通信部８６、補助スキャナ本体９０、及び補助デコーダ９２等に電力を供給するとともに、これらを統括制御する。
【００３７】
通信部８６は、ハンディスキャナ２０の通信部６４から無線で送信された商品情報を受信する。ＣＰＵ８２は、受信した前記商品情報を表示部６８に表示させるとともに、メモリ８８に記憶させる。また、ＣＰＵ８２は、受信した前記商品情報を通信部８６からパソコン（外部端末機器）９４に送信させることもできる。バッテリ８４は、ハンディスキャナ２０のバッテリ５８と同様に充電可能なニッケル水素電池であることが好ましい。
【００３８】
図８Ａ、図８Ｂは、ロッド２４の伸縮構造部を示した要部構造図である。
【００３９】
図８Ａに示すように、ロッド２４は、二本一組の直棒状の第１のロッド９６、及び第２の９８を備え、第２のロッド９８の中空部に第１のロッド９６が挿入され、その挿入量を変更することにより、ロッド２４が伸縮される構成となっている。なお、ロッド２４を構成する直棒状のロッドの本数は３本以上であってもよい。
【００４０】
また、第２のロッド９８の一端部又は両端部には、複数のすり割り部１００、１００…を軸方向に有する筒状の雄ねじ部１０２が挿入される。一方、ロッド２４は、筒状で円錐台形状であって内周面に雌ねじ（不図示）が形成されたナット１０４を備えている。このナット１０４を介して第１のロッド９６を第２のロッド９８に挿入して、ロッド２４の長さを所望の長さに調節し、この後、ナット１０４を雄ねじ部１０２に螺合（図８Ａの矢印Ｘ方向に回転）していくと、すり割り部１００、１００…を形成している突片１０６、１０６が、縮径するナット１０４の内周面によって弾性変形されて第２のロッド９８の外周面に押圧される。これにより、図８Ｂに示すように、第１のロッド９６と第２のロッド９８が連結されてロッド２４の長さが所望の長さとなる。ロッド２４の長さの調整は、矢印Ｙで示すように、第１のロッド９６を第２のロッド９８に対して進退させればよい。
【００４１】
次に、前記の如く構成されたバーコード読取装置１０の使用方法について説明する。
【００４２】
図１に示したように、高所の棚１２に納められている商品１４のバーコード１６を読み取る場合には、まず、操作者１８がハンディスキャナ２０の電源スイッチ６２（図５Ｂ参照）を押してハンディスキャナ２０をＯＮ状態にするとともに、ハンディターミナル２２の電源スイッチ７０（図６参照）を押してハンディターミナル２２をＯＮ状態にして、ハンディスキャナ２０とハンディターミナル２２とを接続（ペアリング）する。そして次に、商品１４の高さに合わせてロッド２４の長さを図８Ｂの如く調節する。
【００４３】
前記ペアリングにおいて、例えばBluetooth、IrDA（近距離無線通信規格）でのペアリングとは、ハンディスキャナ２０とハンディターミナル２２（２台のBluetoothデバイス）の接続設定を行なうことである。ペアリングを行なうことによって、ハンディスキャナ２０とハンディターミナル２２とが互いにアクセス可能となる。
【００４４】
この後、操作者１８がロッド２４を把持してバーコード読取装置１０を持ち上げ、ハンディスキャナ２０の読取窓４４を図２の如く、バーコード１６に対向させる。
【００４５】
次いで、操作者１８が図７に示したハンディターミナル２２のスキャン指示スイッチ７２を押すと、バーコード読み取り開始の信号がハンディターミナル２２の通信部８６から送信される。送信された前記読み取り開始の信号が、ハンディスキャナ２０の通信部６４で受信されると、ＣＰＵ５４は、スキャナ本体５２を駆動してバーコード１６の読み取りを開始する。
【００４６】
バーコード１６の読み取りが終了すると、デコーダ５６がバーコード１６を解読する。そして、ＣＰＵ５４は、解読した商品情報を通信部６４からハンディターミナル２２の通信部８６へ送信させる。送信された商品情報が、ハンディターミナル２２の通信部８６で受信されると、ＣＰＵ８２がその商品情報を表示部６８に表示させる。
【００４７】
したがって、バーコード読取装置１０を操作する操作者１８は、高所にあるバーコード１６の情報を、梯子や脚立を使用することなく容易に確認することができる。
【００４８】
また、パイプ材２５に対して回転部材４１を回転軸３９で回転させて、読取窓４４を水平方向に向けることによって、狭い間隔で隣り合うように複数の商品が並べられ、その商品の対向する面にバーコードが付されている状況においても、そのバーコードを容易に読み取ることができる。
【００４９】
そして、実施の形態のバーコード読取装置１０では、無線信号によってハンディスキャナ２０とハンディターミナル２２とを送受信可能に構成している。双方の通信部６４、８６をＵＳＢケーブル等で送受信可能に接続してもよいが、有線のケーブルが確認作業時に邪魔になる、あるいはケーブルの長さが足りず、確認作業ができない場合があるので、前述の如く無線通信が好ましい。無線通信手段としては、前記Bluetooth、IrDA、IrSimple（赤外線を利用して通信を行う国際標準規格）、IrSS（高速赤外線通信の規格であるIrSimple 1.0に準拠した、片方向通信を実現する方式）、ZigBee（家電向けの短距離無線通信規格）、UWB（超広帯域無線）を挙げることができる。
【００５０】
また、実施の形態のバーコード読取装置１０は、ハンディスキャナ２０、及びハンディターミナル２２の双方がバッテリ５８、８４を備えており、バッテリ５８を電源としてハンディスキャナ２０が駆動され、バッテリ８４を電源としてハンディターミナル２２が駆動される。したがって、実施の形態のバーコード読取装置１０は、倉庫のコンセントから電源供給用のケーブルをハンディスキャナ２０、及びハンディターミナル２２に接続する必要がないので、確認作業範囲が電源供給用のケーブルの長さに規制されない。よって、バーコード読取装置１０の取り扱いが容易になる。
【００５１】
更に、実施の形態のバーコード読取装置１０は、ハンディターミナル２２の通信部８６が、無線又は有線によってパソコン９４に商品情報を送信することができる。ハンディターミナル２２からパソコン９４に商品情報を送信することにより、パソコン９４側で、例えば棚卸しデータ等を作成することができる。
【００５２】
更にまた、ハンディターミナル２２は、商品情報を記憶するメモリ８８を有しているので、商品情報を蓄積でき、蓄積した商品情報をパソコン９４に受け渡すことができる。メモリ８８としては、ハンディターミナル２２に内蔵されるＲＡＭ、ＲＯＭ、又はハンディターミナル２２のインタフェースに着脱されるＵＳＢメモリ、ＳＤカード（ＵＳＢ規格）等の記憶媒体を挙げることができる。
【００５３】
また、実施の形態のバーコード読取装置１０では、ハンディターミナル２２にバーコードを読み込む補助スキャナ本体９０、及び補助スキャナ本体９０によって読み込んだバーコードを解読する補助デコーダ９２を備えている。これにより、ハンディターミナル２２においても、補助スキャナ本体９０によってバーコードを読み込み、読み込んだバーコードを補助デコーダ９２によって解読することができる。低所確認作業時には、ロッド２４からハンディスキャナ２０とハンディターミナル２２とを取り外し、バーコードの確認用として各々独立して使用することができる。ハンディターミナル２２で取得した商品情報は、表示部６８に表示される。
【００５４】
なお、実施の形態では、バーコード１６を読み取るバーコード読取装置１０について説明したが、本考案は、バーコード１６に限定されるものではなく、文字、記号、画像等の識別子を読み取る識別子読取装置に適用可能である。
【符号の説明】
【００５５】
１０…バーコード読取装置、１２…棚、１４…商品、１６…バーコード、１８…操作者、２０…ハンディスキャナ、２２…ハンディターミナル、２４…ロッド、２５…パイプ材、２６…ジョイント、２８…ホルダ、３０、３２…クランパ、３１…ガイド部、３４…ねじ、３６、３８…凹部、３９…回転軸、４０…ピン、４１…回転部材、４２…リンク、４４…読取窓、４６…外装ケース本体、４７…突出部、４８…ＬＥＤ、５０…ＣＣＤ、５２…スキャナ本体、５４…ＣＰＵ、５６…デコーダ、５８…バッテリ、６０…表示部、６２…電源スイッチ、６４…通信部、６６…外装ケース、６８…表示部、７０…電源スイッチ、７２…スキャン指示スイッチ、７６…カーソルキー、７８…数字キー、８０…エンターキー、８２…ＣＰＵ、８４…バッテリ、８６…通信部、８８…メモリ、９０…補助スキャナ本体、９２…補助デコーダ、９４…パソコン、９６、９８…ロッド、１００…すり割り部、１０２…雄ねじ部、１０４…ナット、１０６…突片
【図１】
0003169436.tif 000003
【図２】
0003169436.tif 000004
【図３Ａ】
0003169436.tif 000005
【図３Ｂ】
0003169436.tif 000006
【図４】
0003169436.tif 000007
【図５Ａ】
0003169436.tif 000008
【図５Ｂ】
0003169436.tif 000009
【図６】
0003169436.tif 000010
【図７】
0003169436.tif 000011
【図８Ａ】
0003169436.tif 000012
【図８Ｂ】
0003169436.tif 000013